(57)【要約】  二次電池セルの一部が高温となった際に隣接する他の二次電池セルに与える影響を低減させる類焼防止機能をセパレータに設けるために、電源装置（１００）は、互いに隣接して配置された複数の二次電池セル（１）と、前記隣接する二次電池セル（１）同士の間に、それぞれ介在されるセパレータ（１２）とを備える。各セパレータ（１２）は、前記二次電池セルで押圧されて変形すると共に、元の形態に戻ろうとする復元性と断熱性とを有する可撓性部材で構成する。これにより、二次電池セル間の断熱性を高めて熱暴走時の類焼を抑制しつつ、二次電池セルが膨張した際の変形もセパレータ（１２）でもって吸収し、さらに膨張が収まった際にはセパレータ（１２）の形状を回復させて、機械的な押圧力も維持して、機械的な安定性を高め振動や衝撃への耐性も維持できる。
2018207608.tif 000002
【特許請求の範囲】
【請求項１】
互いに隣接して配置された複数の二次電池セルと、
前記隣接する二次電池セル同士の間に、それぞれ介在されるセパレータと、を備える電源装置であって、
各セパレータは、前記二次電池セルで押圧されて変形すると共に、元の形態に戻ろうとする復元性と、断熱性とを有する可撓性部材で構成されてなる電源装置。
【請求項２】
請求項１に記載の電源装置であって、
各セパレータは、メッシュ状に構成され、メッシュの空隙に存在する空気により断熱性の類焼防止層を形成してなる電源装置。
【請求項３】
請求項１又は２に記載の電源装置であって、
前記セパレータが、シート状に形成され、前記二次電池セルで押圧された際の厚さが、０．５０ｍｍ以上となるよう構成されてなる電源装置。
【請求項４】
請求項１〜３のいずれか一項に記載の電源装置であって、
前記セパレータが、無機材料の耐熱性繊維で構成されてなる電源装置。
【請求項５】
請求項１〜３のいずれか一項に記載の電源装置であって、
前記セパレータが、表面を絶縁材で被覆した金属結晶繊維で構成されてなる電源装置。
【請求項６】
請求項１〜５のいずれか一項に記載の電源装置であって、
車両の駆動用の電源装置である電源装置。
【請求項７】
請求項１〜６のいずれか一に記載の電源装置を備えてなる車両であって、
前記電源装置と、該電源装置から電力供給される走行用のモータと、前記電源装置及び前記モータを搭載してなる車両本体と、前記モータで駆動されて前記車両本体を走行させる車輪とを備える車両。
【請求項８】
請求項１〜６のいずれか一に記載の電源装置を備えてなる蓄電装置であって、
前記電源装置への充放電を制御する電源コントローラを備えており、
前記電源コントローラでもって、外部からの電力により前記二次電池セルへの充電を可能とすると共に、前記二次電池セルに対し充電を行うよう制御することを特徴とする蓄電装置。
【請求項９】
互いに隣接して配置された複数の二次電池セル同士の間に介在させるためのセパレータであって、
前記二次電池セルで押圧されて変形すると共に、元の形態に戻ろうとする復元性と、断熱性とを有する可撓性部材で構成されてなるセパレータ。
【発明の詳細な説明】
【技術分野】
【０００１】
本発明は、電源装置及びこれを備える車両、蓄電装置並びに電源装置用セパレータに関する。
【背景技術】
【０００２】
多数の二次電池を直列、並列に接続した電源装置は、車両の駆動用等の用途で用いられている。このような電源装置の一例を図８の分解斜視図に示す。この図に示す電源装置は、角形の二次電池セル９０１をスペーサ９０２を介して多数積層して、端面にエンドプレート９０３を配置し、バインドバー９０４で締結している。スペーサ９０２は、硬質の樹脂等で構成されている。【０００３】
近年の電池に対する高出力、かつ小型化の要求に伴い、二次電池セルの高容量化が進められている一方、複数の二次電池セルを組み合わせた電池モジュールに対する安全性の確保が重要な課題となっている。特に、１つの二次電池セルが高温になった際、隣接する他の二次電池セルに熱が伝搬するいわゆる類焼試験における対策技術の確立が急務となっている。類焼試験とは、電池モジュールに含まれる二次電池セルの１つが熱暴走したときに、周囲の二次電池セルに熱連鎖していき、最終的に電池モジュールが破裂又は発火することがないかを検証する試験である。【０００４】
その一方で、二次電池セルの膨張にも対応しなければならない。二次電池セルは、充電や放電を繰り返すと膨張する。また、電池の劣化によっても膨張が生じる。特に電池の高容量化に伴い、充放電や劣化に伴う電池の膨張に際して生じる反力も増大する傾向にあり、この対応として構造部品の開発や、モジュールの高容量化（直列数または並列数の増加）によるモジュール剛性の向上（セパレータによる二次電池セル間の相対変位を抑制）を実現する技術開発が求められている。【０００５】
さらにまた、二次電池セル間に配置されるスペーサについても小型化が求められている。
【先行技術文献】
【特許文献】
【０００６】
【特許文献１】米国特許出願公開第２０１４／０１９３６８５号明細書
【発明の概要】
【発明が解決しようとする課題】
【０００７】
本発明は、このような背景に鑑みてなされたものである。本発明の目的の一は、二次電池セルの一部が高温となった際に隣接する他の二次電池セルに与える影響を低減させる類焼防止機能を備えた電源装置及びこれを備える車両、蓄電装置並びに電源装置用セパレータを提供することにある。
【課題を解決するための手段及び発明の効果】
【０００８】
本発明の第１の形態に係る電源装置によれば、互いに隣接して配置された複数の二次電池セルと、前記隣接する二次電池セル同士の間に、それぞれ介在されるセパレータとを備える電源装置であって、各セパレータは、前記二次電池セルで押圧されて変形すると共に、元の形態に戻ろうとする復元性と、断熱性とを有する可撓性部材で構成することができる。上記構成により、二次電池セル間の断熱性を高めて熱暴走時の類焼を抑制しつつ、二次電池セルが膨張した際の変形もセパレータでもって吸収し、さらに膨張が収まった際にはセパレータの形状を回復させて、機械的な押圧力も維持して、機械的な安定性を高め振動や衝撃への耐性も維持できる。
【０００９】
また、第２の形態に係る電源装置によれば、上記構成に加えて、各セパレータが、メッシュ状に構成され、メッシュの空隙に存在する空気により断熱性の類焼防止層を形成することができる。
【００１０】
さらに、第３の形態に係る電源装置によれば、上記何れかの構成に加えて、前記セパレータが、シート状に形成され、前記二次電池セルで押圧された際の厚さを、０．５０ｍｍ以上となるよう構成できる。
【００１１】
さらにまた、第４の形態に係る電源装置によれば、上記何れかの構成に加えて、前記セパレータを、無機材料の耐熱性繊維で構成できる。
【００１２】
さらにまた、第５の形態に係る電源装置によれば、上記何れかの構成に加えて、前記セパレータを、表面を絶縁材で被覆した金属結晶繊維で構成できる。
【００１３】
さらにまた、第６の形態に係る電源装置によれば、上記何れかの電源装置を車両の駆動用の電源装置として用いることができる。
【００１４】
さらにまた、第７の形態に係る車輌によれば、上記何れかの電源装置を備えると共に、この電源装置から電力供給される走行用のモータと、前記電源装置及び前記モータを搭載してなる車両本体と、前記モータで駆動されて前記車両本体を走行させる車輪とを備えることができる。
【００１５】
さらにまた、第８の形態に係る電源装置によれば、上記何れかの電源装置を備えると共に、この電源装置への充放電を制御する電源コントローラを備えており、前記電源コントローラでもって、外部からの電力により前記二次電池セルへの充電を可能とすると共に、前記二次電池セルに対し充電を行うよう制御することができる。
【００１６】
さらにまた、第９の形態に係るセパレータによれば、互いに隣接して配置された複数の二次電池セル同士の間に介在させるためのセパレータであって、多孔質の材質で構成され、該多孔質の内部に含まれる空気により類焼防止層を形成できる。上記構成により、二次電池セル間の断熱性を高めて熱暴走時の類焼を抑制しつつ、二次電池セルが膨張した際の変形もセパレータでもって吸収し、さらに膨張が収まった際にはセパレータの形状を回復させて、機械的な押圧力も維持して、機械的な安定性を高め振動や衝撃への耐性も維持できる。
【図面の簡単な説明】
【００１７】
【図１】本発明の一実施の形態にかかる組電池の斜視図である。
【図２】図１に示す組電池の分解斜視図である。
【図３】セパレータの斜視図である。
【図４】図４Ａは実施形態１に係るセパレータの、図３のＩＶ−ＩＶ線における断面図及び要部拡大断面図、図４Ｂは実施形態２に係るセパレータの、図３のＩＶ−ＩＶ線における断面図及び要部拡大断面図、図４Ｃは実施形態３に係るセパレータの、図３のＩＶ−ＩＶ線における断面図及び要部拡大断面図である。
【図５】エンジンとモータで走行するハイブリッド自動車にバッテリ装置を搭載する例を示すブロック図である。
【図６】モータのみで走行する電気自動車にバッテリ装置を搭載する例を示すブロック図である。
【図７】蓄電装置にバッテリ装置を使用する例を示すブロック図である。
【図８】従来の電源装置を示す分解斜視図である。
【発明を実施するための形態】
【００１８】
以下、本発明の実施形態を図面に基づいて説明する。ただし、以下に示す実施形態は、本発明の技術思想を具体化するための例示であって、本発明は以下のものに特定されない。また、本明細書は特許請求の範囲に示される部材を、実施形態の部材に特定するものでは決してない。特に実施形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一若しくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００１９】
（実施形態１）
本発明の実施形態１に係る電源装置１００の斜視図を図１に、その分解斜視図を図２に、それぞれ示す。これらの図に示す電源装置１００は、複数の二次電池セル１を積層している電池積層体２と、この電池積層体２の両端に配置された一対のエンドプレート３と、一対のエンドプレート３に両端が連結されて、電池積層体２を締結する一対の締結部材４とを備えている。さらに、電源装置１００は、締結部材４が、電池積層体２の側面に沿って配置される本体部４０と、この本体部４０の両端で折曲されて、エンドプレート３の外側面に固定される固定部４１とを備えている。
【００２０】
（二次電池セル１）
二次電池セル１は、図２に示すように、厚さに比べて幅が広い、言い換えると幅よりも薄い角形電池で、厚さ方向に積層されて電池積層体２としている。二次電池セル１はリチウムイオン二次電池である。ただし、二次電池セルは、ニッケル水素電池、ニッケルカドミウム電池等、充電できる全ての二次電池とすることもできる。二次電池セル１は、密閉構造の外装缶に正負の電極板を電解液と共に収容している。外装缶は、アルミニウムやアルミニウム合金等の金属板を角形にプレス成形され、開口部を封口板で気密に密閉している。封口板は、外装缶と同じアルミニウムやアルミニウム合金で、両端部に正負の電極端子１１を固定している。さらに、封口板は、正負の電極端子１１の間に、ガス排出弁１５を設けている。
【００２１】
複数の二次電池セル１は、各二次電池セル１の厚み方向が積層方向となるように積層されて電池積層体２を構成している。二次電池セル１は、正負の電極端子１１を設けている端子面１０を同一平面に配置して、複数の二次電池セル１を積層して電池積層体２としている。
【００２２】
（セパレータ１２）
電池積層体２は、図２に示すように、積層している二次電池セル１の間にセパレータ１２を挟着している。図のセパレータ１２は、絶縁材で薄いプレート状またはシート状に製作されている。図に示すセパレータ１２は、二次電池セル１の対向面とほぼ等しい大きさのプレート状としており、このセパレータ１２を互いに隣接する二次電池セル１の間に積層して、隣接する二次電池セル１同士を絶縁している。なお、セパレータ１２とは別に、隣接する二次電池セル１間に第二スペーサを配置しても良い。二次電池セル１とスペーサの間に冷却気体の流路が形成される形状のスペーサを用いることで、二次電池セル１を冷却することができる。また、二次電池セル１の表面を絶縁材で被覆することもできる。例えばＰＥＴ樹脂等のシュリンクチューブで二次電池セルの電極部分を除く外装缶の表面を熱溶着させてもよい。
【００２３】
（電池積層体２）
電池積層体２は、隣接する二次電池セル１の正負の電極端子１１に金属製のバスバー（図示せず）が接続されて、バスバーでもって複数の二次電池セル１を直列又は並列に、あるいは直列と並列に接続される。図に示す電池積層体２は、１２個の二次電池セル１を直列に接続している。ただ、本発明は、電池積層体を構成する二次電池セル１の個数とその接続状態を特定しない。
【００２４】
（端面スペーサ１３）
電池積層体２は、両端面に端面スペーサ１３を挟んでエンドプレート３を配置している。端面スペーサ１３は、図２に示すように、電池積層体２とエンドプレート３との間に配置されてエンドプレート３を電池積層体２から絶縁する。端面スペーサ１３は、上述したセパレータ１２と同様の材質で構成することができる。図に示す端面スペーサ１３は、二次電池セル１の対向面全体をカバーできる大きさのプレート部１３Ｘを備えており、このプレート部１３Ｘを電池積層体２の両端に配置された二次電池セル１とエンドプレート３との間に積層している。
【００２５】
さらに、図２の端面スペーサ１３は、二次電池セル１の端子面１０をカバーする端子面カバー部１３Ａを、プレート部１３Ｘの上端縁に連結して設けている。図２の端面スペーサ１３は、プレート部１３Ｘの上端縁の全体にわたって、二次電池セル１側に突出する端子面カバー部１３Ａを設けている。このように、プレート部１３Ｘの上端縁の全体にわたって端子面カバー部１３Ａを設ける構造は、エンドプレート３と電池積層体２との絶縁距離を確保しながら、二次電池セル１の上面である端子面１０を確実にカバーして絶縁特性を向上できる。
【００２６】
（エンドプレート３）
エンドプレート３は、図１と図２に示すように、電池積層体２の両端に配置されると共に、電池積層体２の両側面に沿って配置される締結部材４を介して締結される。エンドプレート３は、電池積層体２の二次電池セル１の積層方向における両端であって、端面スペーサ１３の外側に配置されて電池積層体２を両端から挟着している。エンドプレート３は、アルミニウム合金製としている。アルミニウム合金としては、Ａｌ−Ｃｕ−Ｍｇ系、Ａｌ−Ｃｕ−Ｎｉ−Ｍｇ系、Ａｌ−Ｃｕ−Ｓｉ系、Ａｌ−Ｓｉ−Ｍｇ系、Ａｌ−Ｓｉ−Ｃｕ系、Ａｌ−Ｓｉ−Ｃｕ−Ｍｇ系、Ａｌ−Ｓｉ−Ｃｕ−Ｎｉ−Ｍｇ系等が利用できる。このアルミニウム合金製のエンドプレート３は、熱処理型合金である。またアルミニウム合金製のエンドプレート３は、後述する通りダイキャストで成型される。またアルミニウム合金製のエンドプレート３は、後述する通り、溶体化処理、焼入れ及び時効熱処理等を含む熱処理によって調質されることが好ましい。
【００２７】
エンドプレート３は、外形を四角形としており、電池積層体２の端面に対向して配置されている。図１と図２に示すエンドプレート３は、二次電池セル１の外形とほぼ等しい外形としている。ずなわち、図に示すエンドプレート３は、左右方向の幅を二次電池セル１の幅と等しくすると共に、上下方向の高さを二次電池セル１の高さと等しくしている。なお、本明細書において、上下方向とは図における上下方向とし、左右方向は、図における左右方向であって、電池の積層方向と直交する水平方向を意味するものとする。
【００２８】
さらに、図２に示すエンドプレート３は、エンドプレート３を固定するための貫通孔を複数形成している。例えばエンドプレート３は、締結部材４の固定部４１を固定する留め具１９を挿入するための第一貫通孔３３を有している。図に示すエンドプレート３は、第一貫通孔３３として、複数の貫通孔を開口している。図のエンドプレート３は、両側部であって固定部４１と対向する位置に、上下に離して複数の第一貫通孔３３を設けている。
図２のエンドプレート３は、両側に沿って３個ずつ、全体で６個の第一貫通孔３３を設けている。このエンドプレート３は、外周面に配置される固定部４１を貫通する留め具１９が第一貫通孔３３に挿入される。第一貫通孔３３に挿入された留め具１９は、第一貫通孔３３に固定されて固定部４１を定位置に固定する。
【００２９】
さらにエンドプレート３は、第一貫通孔３３とは異なる第二貫通孔３４として、電源装置を固定部位（例えば車載用の電源装置においては、車両）に固定するボルトを挿入するための貫通孔を形成している。第二貫通孔３４は、エンドプレート３の上面において両端に縦穴として貫通されている。
（留め具１９）
【００３０】
留め具１９は、第一貫通孔３３に抜けないように固定される。このような留め具１９として、止ネジやボルト、リベット等が使用できる。止ネジやボルトである留め具は、第一貫通孔３３に挿入する際に、第一貫通孔３３に螺合して固定される。したがって、止ネジやボルトである留め具が固定される第一貫通孔３３は、内面に止ネジやボルトの雄ネジと噛み合う雌ネジを設けることができる。また、リベットである留め具は、固定部を貫通する状態でエンドプレート３の第一貫通孔３３に挿入されると共に、第一貫通孔３３の内部において一端がかしめられてエンドプレート３と固定部とを固定する。リベットである留め具は、エンドプレート３の第一貫通孔３３の内部で形成されるカシメ部によって、エンドプレート３の第一貫通孔３３と固定部の貫通孔の開口縁部とを挟着して、固定部をエンドプレート３に固定する。リベットが挿入される第一貫通孔３３は、外側面の開口面積を小さくしてリベットの頭部を通過できない内形とすると共に、反対側である対向面側の開口面積を大きくして、リベットを変形させて形成されるカシメ部を内部に配置できる構造とすることができる。
【００３１】
（締結部材４）
締結部材４は、図１と図２に示すように、電池積層体２の積層方向に延長されており、両端が電池積層体２の両端面に配置されたエンドプレート３に固定されて、このエンドプレート３を介して電池積層体２を積層方向に締結している。締結部材４は、電池積層体２の側面に沿う所定の幅と所定の厚さを有する金属板で、電池積層体２の両側面に対向して配置されている。この締結部材４には、鉄などの金属板、好ましくは、鋼板が使用できる。金属板からなる締結部材４は、プレス成形等により折曲加工されて所定の形状に形成される。
【００３２】
締結部材４は、電池積層体２の側面に沿って配置される本体部４０と、この本体部４０の両端で折曲されて、エンドプレート３の外側面に固定される固定部４１とを備えている。本体部４０は、電池積層体２と、その両端に配置されるエンドプレート３のほぼ全体を被覆する大きさの矩形状としている。図１に示す本体部４０は、電池積層体２の側面のほぼ全面を隙間なく被覆している。ただ、本体部４０は、１以上の開口部を設けて、電池積層体の側面の一部を表出させることもできる。締結部材４は、両端を一対のエンドプレート３に固定するために、その両端部をエンドプレート３の外側面に沿うように折曲加工して固定部４１を設けている。図に示す固定部４１は、本体部４０及びエンドプレート３の上下方向の高さとほぼ等しくして、エンドプレート３の左右の両側部を被覆している。この締結部材４は、固定部４１の先端に設けた貫通孔４２に挿入される留め具１９を介してエンドプレート３に固定される。さらに、図に示す締結部材４は、本体部４０の両端部を除く中間部分の上端部に沿って、電池積層体２の上面及び下面を保持する折曲部４４を備えている。折曲部４４は、電池積層体２を構成する二次電池セル１の上面及び下面を保持して、各二次電池セル１の端子面１０の位置が上下にずれるのを抑制している。
【００３３】
なお、締結部材４は、図示しないが、本体部４０と折曲部４４の内面に絶縁シートを配置して、この絶縁シートにより、電池積層体２の二次電池セル１と締結部材４とを絶縁することができる。さらに、締結部材４は、図示しないが、本体部４０の両端部の内面に緩衝材を配置して、エンドプレート３の両側面を振動等の衝撃から保護することもできる。
【００３４】
（セパレータ１２の詳細）
セパレータ１２の斜視図を図３に示す。このセパレータ１２は、断熱性を高めた材質で構成される。セパレータ１２を構成する材質は、絶縁性を有する材質で構成することが好ましい。また、セパレータ１２を構成する材質は、可撓性を有する材質で構成することが好ましい。すなわち、可撓性を有する材質で構成されるセパレータ１２は、二次電池セルが膨張してセパレータ１２が押圧された際に変形して、該変形を吸収すると共に、応力が低減されたときには元の形態に戻ろうとする復元性を有する。これにより、二次電池セルの膨張時の変形を許容しつつ、電池積層体の締結力を維持できる。なお、二次電池セルは、電池の異常状態に加え、通常の充放電によっても膨張や収縮をする。上記構成のセパレータを用いることで、膨張時には二次電池セルの変形分を吸収してストレスを緩和することができる。その一方で、膨張が収まった際に隙間が生じてしまうと、電池積層体２を締結する締結部材４の締結力が相対的に弱まり、振動等によりがたつきが生じたり、締結部材４等が摩耗や破損したりする要因となる。そこで、元の厚さに復元することで緩みを抑え、安定的な保持力を発揮する。またその一方で、電池セル膨張時の変形が大きすぎると、セパレータが薄くなって断熱性能が低下する。本実施形態では、二次電池セルで押圧された際の厚さが、０．５０ｍｍ以上、好ましくは０．６５ｍｍ以上となるように設計している。これにより、二次電池セルの膨張時にも断熱性を維持することができる。好ましくは、セパレータのヤング率を１０8〜１０9Ｎ／ｍ2とする。
【００３５】
このような絶縁性、断熱性と可撓性を実現する材質として、例えばセパレータを、繊維を織り込んだメッシュ状に構成する。実施形態１に係るセパレータ１２Ａとして、図３のＩＶ−ＩＶ線における断面図である図４Ａに示す例では、メッシュ層１２ａで構成している。このようなメッシュ状の材質でセパレータ１２Ａを構成することで、メッシュ層１２ａの空隙が存在するため、セパレータに外力が加わると、隙間が狭くなりセパレータの寸法が変化する。変形に伴ってメッシュ層１２ａの空隙が狭くなると、繊維の弾性特性がセパレータとしての性質に寄与するようになる。従って、メッシュ層の空隙率や繊維のヤング率を適正な値とすることで、セパレータが二次電池セルで押圧された際の厚さが、０．５０ｍｍ以上、好ましくは０．６５ｍｍ以上となるように設計することができる。なお、セパレータを構成する繊維は、熱伝導率が低い特性を有していることが好ましい。すなわちセパレータ１２Ａの断熱性を高めることで、セパレータ１２Ａの一方の面に位置する二次電池セルが熱暴走等により高温になっても、反対側の面に位置する二次電池セルに伝熱することを抑制する類焼防止層として機能させることができる。またメッシュ層１２ａとしたことで可撓性を高め、圧縮変形と回復力を発揮できる。このような材質としては、非金属の無機材料、例えば高耐熱性の樹脂製の繊維（例えば難燃性ビニロン繊維、ポリエーテルイミド繊維、およびアラミド繊維）等が利用できる。あるいはワイヤなどの金属線の表面を絶縁材でコーティングしてメッシュ状に構成したものとしてもよい。
【００３６】
また、メッシュ状のようなある程度の規則性を有する空隙の他、ランダムな空隙を形成する繊維質を用いてもよい。例えば、ランダムな短繊維を交絡させた繊維材１２ｂでセパレータを構成してもよい。このような例を実施形態２に係るセパレータ１２Ｂとして、図４Ｂの要部拡大断面図に示す。繊維材１２ｂとしては、ロックウールやガラス繊維、表面を絶縁材で被覆した金属結晶繊維や、高耐熱性の樹脂製の繊維（例えば難燃性ビニロン繊維、ポリエーテルイミド繊維、およびアラミド繊維）等が利用できる。このようにセパレータ１２Ｂを繊維状に構成することでも、圧縮性に富んだ高耐熱の空気層を形成できる。
【００３７】
さらに、セパレータの表面の摩擦係数を高め、滑り止め効果を発揮させることも好ましい。これによって、電池モジュールの耐振動、衝撃性を向上できる。例えば、セパレータの表面に滑り止めのコーティングを施す。
【００３８】
加えて、セパレータの表面積は、二次電池セルの表面よりも小さくすることが好ましい。これによって、二次電池セルの膨張時に、この二次電池セルの封口体に印加される力を低減して二次電池セルの外装缶の破損を回避できる。また、セパレータを二次電池セルよりも一回り小さくすることで、伝熱面積を小さくして断熱性を向上する効果も得られる。
【００３９】
以上の例では外装缶を角型とする二次電池セルに適用する例を説明したが、本発明はこれに限らず、他の形状の電池、例えばラミネート形の二次電池セルや円筒形の二次電池セルにも適用できる。
【００４０】
以上の電源装置は、車載用の電源として利用できる。電源装置を搭載する車両としては、エンジンとモータの両方で走行するハイブリッド車やプラグインハイブリッド車、あるいはモータのみで走行する電気自動車等の電動車両が利用でき、これらの車両の電源として使用される。なお、車両を駆動する電力を得るために、上述した電源装置を直列や並列に多数接続して、さらに必要な制御回路を付加した大容量、高出力の電源装置１０００を構築した例として説明する。
【００４１】
（ハイブリッド車用電源装置）
図５に、エンジンとモータの両方で走行するハイブリッド車に電源装置を搭載する例を示す。この図に示す電源装置を搭載した車両ＨＶは、車両本体９０と、車両本体９０を走行させるエンジン９６及び走行用のモータ９３と、モータ９３に電力を供給する電源装置１０００と、電源装置１０００の電池を充電する発電機９４と、モータ９３とエンジン９６で駆動されて車両本体９０を走行させる車輪９７とを備えている。電源装置１０００は、ＤＣ／ＡＣインバータ９５を介してモータ９３と発電機９４に接続している。車両ＨＶは、電源装置１０００の電池を充放電しながらモータ９３とエンジン９６の両方で走行する。モータ９３は、エンジン効率の悪い領域、例えば加速時や低速走行時に駆動されて車両を走行させる。モータ９３は、電源装置１０００から電力が供給されて駆動する。発電機９４は、エンジン９６で駆動され、あるいは車両にブレーキをかけるときの回生制動で駆動されて、電源装置１０００の電池を充電する。
【００４２】
（電気自動車用電源装置）
また図６に、モータのみで走行する電気自動車に電源装置を搭載する例を示す。この図に示す電源装置を搭載した車両ＥＶは、車両本体９０と、車両本体９０を走行させる走行用のモータ９３と、このモータ９３に電力を供給する電源装置１０００と、この電源装置１０００の電池を充電する発電機９４、モータ９３で駆動されて車両本体９０を走行させる車輪９７とを備えている。モータ９３は、電源装置１０００から電力が供給されて駆動する。発電機９４は、車両ＥＶを回生制動する時のエネルギーで駆動されて、電源装置１０００の電池を充電する。
【００４３】
（蓄電用電源装置）
さらに、この電源装置は、移動体用の動力源としてのみならず、載置型の蓄電用設備としても利用できる。例えば家庭用、工場用の電源として、太陽光や深夜電力等で充電し、必要時に放電する電源システム、あるいは日中の太陽光を充電して夜間に放電する街路灯用の電源や、停電時に駆動する信号機用のバックアップ電源等にも利用できる。このような例を図７に示す。この図に示す電源装置１０００は、複数の電池パック８１をユニット状に接続して電池ユニット８２を構成している。各電池パック８１は、複数の二次電池セルが直列及び／又は並列に接続されている。各電池パック８１は、電源コントローラ８４により制御される。この電源装置１０００は、電池ユニット８２を充電用電源ＣＰで充電した後、負荷ＬＤを駆動する。このため電源装置１０００は、充電モードと放電モードを備える。負荷ＬＤと充電用電源ＣＰはそれぞれ、放電スイッチＤＳ及び充電スイッチＣＳを介して電源装置１０００と接続されている。放電スイッチＤＳ及び充電スイッチＣＳのＯＮ／ＯＦＦは、電源装置１０００の電源コントローラ８４によって切り替えられる。充電モードにおいては、電源コントローラ８４は充電スイッチＣＳをＯＮに、放電スイッチＤＳをＯＦＦに切り替えて、充電用電源ＣＰから電源装置１０００への充電を許可する。
また充電が完了し満充電になると、あるいは所定値以上の容量が充電された状態で負荷ＬＤからの要求に応じて、電源コントローラ８４は充電スイッチＣＳをＯＦＦに、放電スイッチＤＳをＯＮにして放電モードに切り替え、電源装置１０００から負荷ＬＤへの放電を許可する。また、必要に応じて、充電スイッチＣＳをＯＮに、放電スイッチＤＳをＯＮにして、負荷ＬＤの電力供給と、電源装置１０００への充電を同時に行うこともできる。
【００４４】
電源装置１０００で駆動される負荷ＬＤは、放電スイッチＤＳを介して電源装置１０００と接続されている。電源装置１０００の放電モードにおいては、電源コントローラ８４が放電スイッチＤＳをＯＮに切り替えて、負荷ＬＤに接続し、電源装置１０００からの電力で負荷ＬＤを駆動する。放電スイッチＤＳはＦＥＴ等のスイッチング素子が利用できる。放電スイッチＤＳのＯＮ／ＯＦＦは、電源装置１０００の電源コントローラ８４によって制御される。また電源コントローラ８４は、外部機器と通信するための通信インターフェースを備えている。図７の例では、ＵＡＲＴやＲＳ−２３２Ｃ等の既存の通信プロトコルに従い、ホスト機器ＨＴと接続されている。また必要に応じて、電源システムに対してユーザが操作を行うためのユーザインターフェースを設けることもできる。
【００４５】
各電池パック８１は、信号端子と電源端子を備える。信号端子は、パック入出力端子ＤＩと、パック異常出力端子ＤＡと、パック接続端子ＤＯとを含む。パック入出力端子ＤＩは、他のパック電池や電源コントローラ８４からの信号を入出力するための端子であり、パック接続端子ＤＯは子パックである他のパック電池に対して信号を入出力するための端子である。またパック異常出力端子ＤＡは、パック電池の異常を外部に出力するための端子である。さらに電源端子は、電池パック８１同士を直列、並列に接続するための端子である。また電池ユニット８２は、並列接続スイッチ８５を介して出力ラインＯＬに接続されて互いに並列に接続されている。
【産業上の利用可能性】
【００４６】
本発明に係る電源装置及びこれを備える車両、蓄電装置並びに電源装置用セパレータは、ＥＶ走行モードとＨＥＶ走行モードとを切り替え可能なプラグイン式ハイブリッド電気自動車やハイブリッド式電気自動車、電気自動車等の電源装置として好適に利用できる。またコンピュータサーバのラックに搭載可能なバックアップ電源装置、携帯電話等の無線基地局用のバックアップ電源装置、家庭内用、工場用の蓄電用電源、街路灯の電源等、太陽電池と組み合わせた蓄電装置、信号機等のバックアップ電源用等の用途にも適宜利用できる。
【符号の説明】
【００４７】
１…二次電池セル、２…電池積層体、３…エンドプレート、４…締結部材、１０…端子面、１１…電極端子、１２、１２Ａ、１２Ｂ、１２Ｃ…セパレータ、１２ａ…メッシュ層、１２ｂ…繊維材、１２ｃ…多孔質、１３…端面スペーサ、１３Ｘ…プレート部、１３Ａ…端子面カバー部、１５…ガス排出弁、１９…留め具、３３…第一貫通孔、３４…第二貫通孔、４０…本体部、４１…固定部、４２…貫通孔、４４…折曲部、８１…電池ブロック、８２…電池ユニット、８４…電源コントローラ、８５…並列接続スイッチ、９０…車両本体、９３…モータ、９４…発電機、９５…ＤＣ／ＡＣインバータ、９６…エンジン、９７…車輪、１００…電源装置、９０１…二次電池セル、９０２…スペーサ、９０３…エンドプレート、９０４…バインドバー、１０００…電源装置、ＨＶ…車両、ＥＶ…車両、ＣＰ…充電用電源、ＬＤ…負荷、ＤＳ…放電スイッチ、ＣＳ…充電スイッチ、ＯＬ…出力ライン、ＨＴ…ホスト機器、ＤＩ…入出力端子、ＤＡ…異常出力端子、ＤＯ…接続端子。
【図１】
2018207608.tif 000003
【図２】
2018207608.tif 000004
【図３】
2018207608.tif 000005
【図４】
2018207608.tif 000006
【図５】
2018207608.tif 000007
【図６】
2018207608.tif 000008
【図７】
2018207608.tif 000009
【図８】
2018207608.tif 000010
【国際調査報告】
2018207608.tif 000011
2018207608.tif 000012
2018207608.tif 000013
2018207608.tif 000014